(57)【要約】【課題】血餅剥離効果に優れており、かつ甲状腺刺激ホルモン測定において、信頼性の高い検査値を得ることを可能とする、血液凝固促進剤を提供する。【解決手段】難水溶性ポリオキシアルキレン誘導体と、吸着性無機物及び加水分解酵素からなる群から選ばれる少なくとも１種類の物質と、ポリビニルピロリドンと、ポリビニルアルコールとを含み、前記加水分解酵素が、ペプチド鎖において、Ａｒｇと任意のアミノ酸残基との結合と、Ｌｙｓと任意のアミノ酸残基との結合のうち少なくとも一方を加水分解し得る酵素であり、前記ポリビニルアルコールのけん化度が、９８モル％より大きく、１００モル％以下である、血液凝固促進剤。【選択図】なし【特許請求の範囲】
【請求項１】
難水溶性ポリオキシアルキレン誘導体と、吸着性無機物及び加水分解酵素からなる群から選ばれる少なくとも１種類の物質と、ポリビニルピロリドンと、ポリビニルアルコールとを含み、
前記加水分解酵素が、ペプチド鎖において、Ａｒｇと任意のアミノ酸残基との結合と、Ｌｙｓと任意のアミノ酸残基との結合のうち少なくとも一方を加水分解し得る酵素であり、
前記ポリビニルアルコールのけん化度が、９８モル％より大きく、１００モル％以下である、血液凝固促進剤。
【請求項２】
前記ポリビニルアルコールを、前記血液凝固促進剤１００重量部に対して、０．０２〜２．０重量部の割合で含んでいる、請求項１に記載の血液凝固促進剤。
【請求項３】
水溶性シリコーンオイルをさらに含んでおり、
前記難水溶性ポリオキシアルキレン誘導体と、前記吸着性無機物及び加水分解酵素からなる群から選ばれる少なくとも１種類の物質と、前記ポリビニルピロリドンと、前記ポリビニルアルコールとの合計重量１００重量部に対して、前記水溶性シリコーンオイルの含有量が、３．０×１０−３〜７重量部の範囲にある、請求項１又は２に記載の血液凝固促進剤。
【請求項４】
請求項１〜３のいずれか１項に記載の血液凝固促進剤が、有底の管状容器内に収容されてなることを特徴とする、血液採取容器。
【請求項５】
請求項１〜３のいずれか１項に記載の血液凝固促進剤が収容されている血液採取容器内に血液を採取し、血液内における甲状腺刺激ホルモンの含有量を測定する、甲状腺刺激ホルモンの測定方法。
【発明の詳細な説明】
【技術分野】
【０００１】
本発明は、血液凝固促進剤及び該血液凝固促進剤を管体内に収容してなる血液採取容器に関する。また、本発明は上記血液凝固促進剤を用いた甲状腺刺激ホルモンの測定方法に関する。
【背景技術】
【０００２】
医療機関や検査センター等の機関における血液検査では、採血管に採取した血液を凝固させた後、遠心分離することにより、全血から血清や血漿といった特定の血液成分が分離されている。また、緊急検査等では、採血後急速に血液を凝固させることが求められることから、上記採血管の内部に血液凝固促進剤を収容する手法が広く用いられている。
【０００３】
特許文献１には、部分けん化ポリビニルアルコールを含有する血液凝固促進剤及び該血液凝固促進剤を容器内部に収容してなる血液採取容器が開示されている。特許文献１では、部分けん化ポリビニルアルコールを含有する血液凝固促進剤を血液採取容器内に収容することにより、血液採取容器の外壁に血餅が付着することを防止できるとされている。
【先行技術文献】
【特許文献】
【０００４】
【特許文献１】ＷＯ２００４／０９７４０７号公報
【発明の概要】
【発明が解決しようとする課題】
【０００５】
しかしながら、特許文献１の血液凝固促進剤が内部に収容されている血液採取容器で血液を採取し、電気化学発光免疫測定法（ＥＣＬＩＡ法）にて甲状腺刺激ホルモン（ＴＳＨ）を測定すると、測定値が安定しない問題があった。
【０００６】
本発明の目的は、血餅剥離効果に優れており、かつ甲状腺刺激ホルモン測定において、信頼性の高い検査値を得ることを可能とする、血液凝固促進剤及び血液採取容器を提供することにある。
【０００７】
また、本発明の他の目的は、信頼性の高い検査値を得ることができる甲状刺激ホルモンの測定方法を提供することにある。
【課題を解決するための手段】
【０００８】
本願発明者らは、鋭意検討した結果、難水溶性ポリオキシアルキレン誘導体と、吸着性無機物及び加水分解酵素からなる群から選ばれる少なくとも１種類の物質と、ポリビニルピロリドンと、ポリビニルアルコールとを含む血液凝固促進剤における、上記ポリビニルアルコールのけん化度を特定の範囲に限定することで、上記課題を達成できることを見出し、本発明を成すに至った。
【０００９】
すなわち、本発明に係る血液凝固促進剤は、難水溶性ポリオキシアルキレン誘導体と、吸着性無機物及び加水分解酵素からなる群から選ばれる少なくとも１種類の物質と、ポリビニルピロリドンと、ポリビニルアルコールとを含み、上記加水分解酵素が、ペプチド鎖において、Ａｒｇと任意のアミノ酸残基との結合と、Ｌｙｓと任意のアミノ酸残基との結合のうち少なくとも一方を加水分解し得る酵素であり、上記ポリビニルアルコールのけん化度が、９８モル％より大きく、１００モル％以下である。
【００１０】
本発明に係る血液凝固促進剤のある特定の局面では、上記ポリビニルアルコールを、上記血液凝固促進剤１００重量部に対して、０．０２〜２．０重量部の割合で含んでいる。
【００１１】
本発明に係る血液凝固促進剤の他の特定の局面では、水溶性シリコーンオイルをさらに含んでおり、上記難水溶性ポリオキシアルキレン誘導体と、上記吸着性無機物及び加水分解酵素からなる群から選ばれる少なくとも１種類の物質と、上記ポリビニルピロリドンと、上記ポリビニルアルコールとの合計重量１００重量部に対して、上記水溶性シリコーンオイルの含有量が、３．０×１０−３〜７重量部の範囲にある。
【００１２】
本発明に係る血液採取容器は、上記血液凝固促進剤が、有底の管状容器内に収容されてなることを特徴とする。
【００１３】
本発明に係る甲状腺刺激ホルモンの測定方法では、上記血液凝固促進剤が収容されている血液採取容器内に血液を採取し、血液内における甲状腺刺激ホルモンの含有量を測定する。
【発明の効果】
【００１４】
本発明によれば、血餅剥離効果に優れており、かつ甲状腺刺激ホルモン測定において、信頼性の高い検査値を得ることを可能とする、血液凝固促進剤及び血液採取容器を提供することができる。
【００１５】
また、本発明に係る甲状腺刺激ホルモンの測定方法では、上記血液凝固促進剤が用いられるため、信頼性の高い検査値を得ることができる。
【発明を実施するための形態】
【００１６】
以下、本発明の詳細を説明する。
【００１７】
（血液凝固促進剤）
本発明に係る血液凝固促進剤は、難水溶性ポリオキシアルキレン誘導体と、（ａ）吸着性無機物及び（ｂ）加水分解酵素からなる群から選ばれる少なくとも１種類の物質と、ポリビニルピロリドンと、ポリビニルアルコールとを含む。
【００１８】
（ｂ）加水分解酵素は、ペプチド鎖において、Ａｒｇと任意のアミノ酸残基との結合と、Ｌｙｓと任意のアミノ酸残基との結合のうち少なくとも一方を加水分解し得る酵素である。
【００１９】
本発明に係る血液凝固促進剤は、上記のようにポリビニルアルコールを含んでいるため、血餅剥離効果に優れている。
【００２０】
また、本発明においては、上記ポリビニルアルコールのけん化度が、９８モル％より大きく、１００モル％以下である。
【００２１】
従って、本発明に係る血液凝固促進剤が塗布された血液採取容器で血液を採取し、甲状腺刺激ホルモンを測定した場合、測定値が安定している。すなわち、本発明に係る血液凝固促進剤を用いて、甲状腺刺激ホルモンの検査を行った場合、信頼性の高い検査値を得ることができる。
【００２２】
以下、本発明に係る血液凝固促進剤の各構成成分についてさらに詳細に説明する。
【００２３】
＜難水溶性ポリオキシアルキレン誘導体＞
本発明の血液凝固促進剤に含有される難水溶性ポリオキシアルキレン誘導体は、血餅付着防止成分として用いられる。
【００２４】
難水溶性ポリオキシアルキレン誘導体としては、特に限定されず、公知のポリオキシアルキレンに種々の化合物を誘導した誘導体を用いることができる。例えば、ポリオキシアルキレンのブタノール誘導体や、ポリオキシアルキレンのグリセリン誘導体等が挙げられる。
【００２５】
上記難水溶性ポリオキシアルキレン誘導体は、水や血液に対して溶解性が低いことが好ましく、水や血液に対して溶解しないことがより好ましい。
【００２６】
また、難水溶性ポリオキシアルキレン誘導体は、血餅付着防止成分として作用するので、凝固した後の血餅成分が血液採取容器の内壁に付着することを防止することができる。また、遠心分離時においても血餅の移動が制限されることもないため、血餅と血清とを良好に分離することができる。
【００２７】
血液凝固促進剤中に含まれる上記難水溶性ポリオキシアルキレン誘導体の含有量としては、特に限定されないが、１×１０−４重量％〜２重量％であることが好ましく、１×１０−３重量％〜１重量％であることがより好ましい。
【００２８】
上記難水溶性ポリオキシアルキレン誘導体の含有量が上記範囲内にある場合、より一層凝固した後の血餅成分が血液採取容器の内壁に付着することを防止することができる。
【００２９】
＜ポリビニルアルコール＞
上述したように、本発明における、ポリビニルアルコールのけん化度は、９８モル％より大きく、１００モル％以下である。
【００３０】
ポリビニルアルコールのけん化度が９８モル％以下である場合、ポリビニルアルコールの血液中の溶解度や界面活性作用が高くなる。従って、検査値に悪影響を及ぼすおそれがある。
【００３１】
また、界面活性作用のある水溶性高分子であるポリビニルアルコールを含む薬剤を採血管壁にスプレー塗布すると、該ポリビニルアルコールは血液採取容器の内壁面への濡れ性が高いことから、薬剤が垂れやすい。従って、血液採取容器の内壁面上の薬剤に塗布むらができる。薬剤が厚く塗布された部分は、血液中に薬剤が均一に溶けにくいため、血液凝固性能にバラつきが発生するおそれがある。
【００３２】
ポリビニルアルコールとしては、公知の化合物を使用することができ、例えば、ポリ酢酸ビニルを水酸化ナトリウムによってけん化された化合物等が挙げられる。
【００３３】
また、完全けん化ポリビニルアルコールの重合度は、３００〜３５００であることが好ましく、５００〜２５００であることがより好ましい。
【００３４】
ポリビニルアルコールの重合度が３００未満であると、溶解性が高くなりすぎて血餅剥離性が低下することがある。また、重合度が３５００を超えると、粘度が高くなり、容器内壁に均一に塗布することが困難になることがある。
【００３５】
本発明のポリビニルアルコールの配合量は、本発明の血液凝固促進剤１００重量部に対して、０．０２〜２．０重量部である。好ましくは、０．０３〜１．５重量部で、更に好ましくは、０．０５〜１．０重量部である。
【００３６】
本発明のポリビニルアルコールの配合量が、０．０２重量部よりも少ないと血餅付着防止効果が小さくなる場合があり、血液採取容器の内壁管面への血餅付着が多くなることがある。また、本発明のポリビニルアルコールの配合量が、２．０重量部よりも多いとポリビニルアルコールの溶解性が悪くなり、溶け残りが増えることがある。従って、血液凝固促進剤の分散性が悪くなり、血液採取容器の内壁面に薬剤を均一に塗布できない場合がある。
【００３７】
本発明で用いるポリビニルアルコールは、けん化度が高いため難水溶性である。そのため、該ポリビニルアルコールを約９５℃の熱水で溶解した後、室温で析出する場合は、配合量を上記の範囲に減らしてもよい。
【００３８】
＜吸着性無機物＞
上述したように、本発明に係る血液凝固促進剤は、（ａ）吸着性無機物及び後述する（ｂ）加水分解酵素のうち少なくとも一方を含んでいる。上記吸着性無機物は、血液凝固成分として用いることができる。
【００３９】
吸着性無機物は水に不溶性であることが好ましい。吸着性無機物が水に不溶性であることによって、より一層検査結果に与える影響を小さくすることができる。
【００４０】
また、吸着性無機物は粉末状であることが好ましい。吸着性無機物が粉末状である場合、吸着性無機物の比表面積が増大するので、本発明の血液凝固促進剤はより一層短時間で血液を凝固させることができる。
【００４１】
吸着性無機物の比表面積は、１０〜１０００ｍ２／ｇであることが好ましく、５０〜５００ｍ２／ｇであることがより好ましい。
【００４２】
吸着性無機物の平均粒径は、５０μｍ以下であることが好ましく、１０μｍ以下であることがより好ましい。吸着性無機物の平均粒径が５０μｍを超えると、短時間で血液を凝固させることが困難になることがある。
【００４３】
具体的な吸着性無機物としては、例えば、シリカ、ガラス、カオリン、セライト又はベントナイト等が挙げられる。これらの吸着性無機物質は単独で用いてもよく、２種以上を混合して用いてもよい。
【００４４】
これらの吸着性無機物質のうち、シリカが好適に用いられる。このシリカは粉末状であることが好ましく、無定形成分を２０重量％以上含有する多孔質状であることがより好ましい。
【００４５】
また、このようなシリカは疎水性であることが好ましい。シリカが疎水性であることによって、血液中への溶解度がより一層低下して溶血を防ぐことができるとともに、血液中への分散性が向上してより一層短時間で血液を凝固させることができる。
【００４６】
また、吸着性無機物は、血液中での分散性が高いことが好ましい。血液中での分散性が高い場合、より一層短時間で血液を凝固させることができる。
【００４７】
上記吸着性無機物の量が少なくなると、血液凝固の時間が長くなったり、凝固が不完全になったりすることがあり、上記吸着性無機物の量が多くなると検査値に悪影響を及ぼす恐れがあるので、血液１ｍＬあたり１×１０−６〜１×１０−３ｇが好ましく、１×１０−５〜１×１０−４ｇがより好ましい。
【００４８】
＜加水分解酵素＞
本発明における加水分解酵素とは、ペプチド鎖において、Ａｒｇと任意のアミノ酸残基との結合と、Ｌｙｓと任意のアミノ酸残基との結合のうち少なくとも一方を加水分解し得る酵素である。
【００４９】
本発明における加水分解酵素の具体的な例としては、例えば、トリプシン、トロンビン、蛇毒トロンビン様酵素等のセリンプロテアーゼ；カテプシンＢ、フィシン等のチオールプロテアーゼ；キニナーゼＩ等の金属プロテアーゼ等の加水分解酵素が挙げられる。なかでも、血液凝固効率がより一層高められるため、好適にはセリンプロテアーゼが用いられ、セリンプロテアーゼとしては、トロンビンが好ましい。
【００５０】
上記血液凝固促進剤に含有される加水分解酵素の量は、少なすぎると血液凝固が不完全になることがあり、多すぎると、検査値に悪影響を及ぼす恐れがある。よって、上記加水分解酵素の使用量は血液１ｍＬあたり０．１〜１００単位が好ましく、０．５〜５０単位がより好ましい。
【００５１】
＜水溶性シリコーンオイル＞
本発明の血液凝固促進剤は、血餅付着防止成分として水溶性シリコーンオイルを含んでもよい。
【００５２】
水溶性シリコーンオイルを用いることによって、栓体を有する採血管においては、管の内壁に対してより一層優れた血餅剥離性が発揮されるとともに、栓体に対してもより一層優れた血餅剥離性を発揮することができる。
【００５３】
上記水溶性シリコーンオイルとしては、親水性が高いシリコーンオイルであれば特に限定されず、例えば、極性基の導入によって親水性に変性されたシリコーンオイル等が用いられる。このような極性基としては、例えば、水酸基、アミノ基、カルボキシル基、エポキシ基又はエーテル基等が挙げられる。
【００５４】
変性前のシリコーンオイルとしては、例えば、ジメチルポリシロキサン、メチルハイドロジエンポリシロキサン等の脂肪族シリコーンオイル又はメチルフェノルポリシロキサン等の芳香族シリコーンオイル等が用いられる。これらのうち、エーテル基によって変性されたジメチルポリシロキサンが好適に用いられる。上記水溶性シリコーンオイルは、単独で用いられてもよく、２種以上が混合されて用いられてもよい。
【００５５】
また、本発明の血液凝固促進剤が水溶性シリコーンオイルを含有する場合、水溶性シリコーンオイルの配合量は、上記難水溶性ポリオキシアルキレン誘導体と、上記吸着性無機物及び加水分解酵素からなる群から選ばれる少なくとも１種類の物質と、上記ポリビニルピロリドンと、上記ポリビニルアルコールとの合計重量１００重量部に対して、３．０×１０−３〜７重量部の範囲にあることがより好ましい。
【００５６】
上記水溶性シリコーンオイルの配合量が、７重量部を超えると検査値に悪影響を及ぼす場合がある。また、配合量が３．０×１０−３重量部未満であると、採血管の栓体に対して十分な血餅剥離性を発揮することが困難となる場合がある。
【００５７】
＜安定化剤・防腐剤＞
本発明の血液凝固促進剤は、上記物質の他に血液凝固促進剤の品質保持に必要な範囲で安定化剤、防腐剤といった種々の物質を含んでもよい。
【００５８】
上記安定化剤としては、公知のタンパク質、アミノ酸、糖類などで、安定性向上に効果があるものを添加することができる。例えば、上記放射線照射により加水分解酵素を失活させた酵素失活物とβ―アラニンとを用いることもできる。放射線照射における放射線とは、例えばガンマ線、電子線などが挙げられる。上記酵素失活物は単独で用いられてもよく、２種以上が併用されてもよい。
【００５９】
本発明に係る血液凝固促進剤に好適に用いられるアミノ酸としては、例えばグリシン、β−アラニン、Ｌ−セリン又はＬ−トリプトファン等が挙げられる。アミノ酸の量が少なくなると、加水分解酵素の安定性を保つ効果が不十分となるおそれがあり、多くなると検査値に悪影響を及ぼすおそれがある。従って、加水分解酵素１単位あたり０．０１〜１０ｍｇが好ましく、０．０５〜５ｍｇがより好ましい。
【００６０】
本発明に係る血液凝固促進剤は、さらにアミン塩と、第４級窒素を有する有機化合物とのうち少なくとも一方を含有していてもよい。上記アミン塩及び第４級窒素を有する有機化合物は、ヘパリンを吸着、中和して不活性化するヘパリン中和剤として作用することができる。
【００６１】
上記アミン塩を構成するアミンは、第１級、第２級又は第３級アミンのいずれでもよく、アミン塩を構成する酸も無機酸又は有機酸のいずれでもよい。無機酸としては、例えば、塩酸等のハロゲン化水素酸、硫酸又は亜硫酸等が挙げられ、有機酸としては、例えば、ギ酸又は酢酸等が挙げられる。アミン塩の有機残基は通常アルキル基であるが、イミノ基やエーテル基等の異種元素を含む炭化水素基であってもよい。アミン塩は、分子内塩でもよい。好ましいアミン塩の具体例としては、例えば、ヘキサデシルジメチルアミン塩酸塩や、テトラデシル（アミノエチル）グリシン等が挙げられる。
【００６２】
上記第４級窒素を有する有機化合物としては、例えば、テトラアルキルアンモニウムが挙げられるが、アルキル基の代わりにアリール基を有する化合物や、イミノ基もしくはエーテル基等の異種元素を含む炭化水素基を有する化合物でもよい。好ましい第４級窒素を有する有機化合物としては、ドデシルトリメチルアンモニウムクロライドが挙げられるが、第４級窒素を有するポリカチオン等の有機重合体を用いてもよい。上記第４級窒素を有する有機化合物の量が少なくなると、ヘパリンが中和され難くなるためヘパリンを含む血液が凝固しなくなることがあり、多くなると検査値に悪影響を及ぼすおそれがある。従って、上記第４級窒素を有する有機化合物の量は、血液１ｍＬあたり０．００５〜１０ｍｇが好ましく、０．０１〜５ｍｇがより好ましい。
【００６３】
本発明の血液凝固促進剤には、さらに抗線溶剤と、抗プラスミン剤のうち少なくとも一方が含有されていてもよい。これらにより、血液の凝固反応過程で拮抗的に生成してくるプラスミンのフィブリン分解作用が阻害される。そのため血液の凝固がより一層促進され、さらに凝固においても凝固状態をより一層安定に保つことができる。
【００６４】
上記抗線溶剤及び抗プラスミン剤としては、例えば、アプロチニン、大豆トリプシンインヒビター、ε−アミノカプロン酸、ｐ−アミノメチル安息香酸、アミノメチルシクロヘキサンカルボン酸等が、単独であるいは組み合わされて用いられる。
【００６５】
これらは、得られる血清を用いた臨床検査に影響を及ぼさない程度の量で血液凝固促進剤中に含有される。例えば、アプロチニンは、血液１ｍＬあたり１００〜６００ＫＩＵ（単位）の割合で、大豆トリプシンインヒビターは、血液１ｍＬあたり５００〜４０００ＦＵ（単位）の割合で、ε−アミノカプロン酸、ｐ−アミノメチル安息香酸、アミノメチルシクロヘキサンカルボン酸は、いずれも血液１ｍＬあたり１×１０−８〜１×１０−２ｇの割合で用いられることが好ましい。
【００６６】
防腐剤としては、例えばｐ−ヒドロキシ安息香酸ｎ−プロピルなど、公知の物質を用いることができる。
【００６７】
（血液採取容器）
本発明に係る血液採取容器は、有底の管状容器である。上記血液採取容器には、上述した本発明に係る血液凝固促進剤が、収容されている。従って、本発明に係る血液採取容器は、血餅剥離効果に優れており、かつ甲状腺刺激ホルモン測定に用いた場合、信頼性の高い検査値を得ることを可能とする。
【００６８】
＜血液凝固促進剤の血液採取容器への収容方法＞
上記血液凝固促進剤の血液採取容器への収容方法に関しては、血液採取容器内部に導入された血液に確実に触れることができれば形態は問わず、例えばフィルム状等の担体に担持させる方法、顆粒等の固形状にして血液採取容器内部に収容する方法、該血液凝固促進剤の水溶液又は水分散液に容器を浸漬する方法又は液状にして血液採取容器内部にスプレー塗布する方法等が挙げられる。
【００６９】
なかでも、血液採取容器に対して血餅付着防止の機能を発揮させるために、液状にして血液採取容器内部にスプレーなどの公知の方法で薬剤を塗布する方法がより好適に用いられる。
【００７０】
＜血清分離剤・栓体＞
本発明の血液採取容器は、必要に応じて血清分離剤を収容されていてもよい。血清分離剤の収容方法については公知の方法を用いることができるが、好ましくは該血液採取容器の底部に配置される。
【００７１】
また、本発明の血液採取容器は、栓体を有するものであってもよい。血液採取容器が栓体を有している場合は、栓体の少なくとも血液と接触し得る部位にも血液凝固促進剤が塗布されていることが好ましい。
【００７２】
＜血液採取容器の製造＞
血液採取容器の製造方法としては特に限定されないが、例えば、管状容器の内面に液状にした上記血液凝固促進剤をスプレー塗布、浸漬塗布するなどし、管状容器の開口に栓体を気密的に取り付けることにより得られる。血液採取容器の内部は減圧されていることが好ましく、この場合、血液採取容器を真空採血管として用いることができ、血液凝固促進、血餅付着防止等の機能を果たすことができる。
【００７３】
（甲状腺刺激ホルモンの測定方法）
本発明に係る甲状腺刺激ホルモンの測定方法では、血液凝固促進剤が収容されている血液採取容器内に血液を採取し、血液内における甲状腺刺激ホルモンの含有量を測定する。上記甲状腺刺激ホルモンの含有量の測定は、例えば、電気化学発光免疫測定法（ＥＣＬＩＡ法）により測定することができる。
【００７４】
上記甲状腺刺激ホルモンの測定方法では、本発明に係る血液凝固促進剤が用いられるため、安定した検査値を得ることができる。すなわち、本発明に係る甲状腺刺激ホルモンの測定方法によると、信頼性の高い検査値を得ることができる。
【００７５】
次に、具体的な実施例につき説明する。なお、本発明は以下の実施例に限定されるものではない。
【００７６】
（実施例１，２及び比較例１）
＜血液凝固促進剤の調製＞
ポリビニルアルコール（ＰＶＡ）として、けん化度９９．０〜９９．６％のＰＶＡ（クラレ社製、商品名「ＨＲ−３０１０」）を用いたものを実施例１、けん化度９９．３％のＰＶＡ（日本酢ビ・ポバール社製、商品名「Ｖ」）を用いたものを実施例２とした。また、けん化度８５．０％のＰＶＡ（クラレ社製、商品名「ＰＶＡ２１０」）を用いたものを比較例１とした。各実施例、比較例にて用いたＰＶＡの詳細を表１に示す。
【００７７】
【表１】
2015197362.tif 000002
【００７８】
また、表２に示す組成となるように各化合物を混合し、血液凝固促進剤を調製した。なお、ＰＶＡ以外に各実施例及び比較例で血液凝固促進剤の成分として用いた化合物は以下の通りである。
【００７９】
・難水溶性ポリオキシアルキレン誘導体
（ＡＤＥＫＡ社製、商品名「アデカポリエーテルＧ４０００」）
・水溶性シリコーンオイル
（東レ・ダウコーニング社製、商品名「ＳＦ８４１０」）
・ポリビニルピロリドン
（和光純薬工業社製、商品名「Ｋ−３０」）
・ｐ−ヒドロキシ安息香酸−ｎ−プロピル
・吸着性無機物
（微粉末シリカ）
・水
【００８０】
【表２】
2015197362.tif 000003
【００８１】
＜血液採取容器の作製＞
それぞれの実施例及び比較例によって得られた血液凝固促進剤を、内容量７ｍＬのポリエチレンテレフタラート製血液分離用管状容器の内壁にスプレー法によって均一に塗布し、風乾することによって試験用血液採取容器を作製した。
【００８２】
得られた各試験用血液採取容器について、二人の被験者（以下、被験者１、被験者２とする）の血液を用いて以下の評価を行った。
【００８３】
なお、参考例１として、本発明の血液凝固促進剤が塗布されていない７ｍＬ採血用のガラス製採血管（ベクトン・ディッキンソン社製、商品名「ＲＥＦ３６９６１９」）を用意し、同様の評価を行った。
【００８４】
＜血餅付着の評価＞
上記で得られた各試験用血液採取容器及び参考例１のガラス製採血管について１．２ｍＬのヒト新鮮血を投入してゴム栓で密封した後、転倒混和を５回行い、３０００ｒｐｍの回転数で１０分間遠心分離を行った。その後、遠心分離後の試験用血液採取容器及び参考例１のガラス製採血管の内壁やゴム栓に血餅が付着しているかどうかを目視にて判定した。血餅付着が確認された場合は「×」と判定し、確認されなかった場合は「○」と判定した。
【００８５】
＜甲状腺刺激ホルモン（ＴＳＨ）の検査値の評価＞
上記で得られた遠心分離後の試験用血液採取容器について、得られた血清を電気化学発光免疫測定法（ＥＣＬＩＡ法）を用い、甲状腺刺激ホルモン（ＴＳＨ）についての値、すなわちＴＳＨの検査値を測定した。
【００８６】
各実施例及び比較例においては、参考例１のガラス製採血管のＴＳＨの検査値を基準として、対ガラス製採血管検査値を算出した際に、９５％以上の正確性が得られていれば検査値の評価を「○」、得られていない場合は検査値の評価を「×」と判定した。
【００８７】
血餅付着及びＴＳＨの検査値の評価結果を下記表３に示す。
【００８８】
【表３】
2015197362.tif 000004
【００８９】
当評価結果によれば、実施例１，２で開示されている血液凝固促進剤は、ＴＳＨ測定において、良好な検査値を得られた。また、血餅付着の評価においても、本発明の血液凝固促進剤が塗布されていない参考例１において血餅付着が確認されたのに対し、実施例１，２の血液凝固促進剤では、けん化度が低いものと変わらない血餅剥離効果を発揮するという良好な結果が得られた。